(57)【要約】【課題】エラー用に準備された用紙を用いることなく、ユーザにエラーが発生した箇所を確実に発見させる。【解決手段】画像データの受信中または画像処理中にエラー検出部２１３によりエラーを検出した場合に、エラーが検出された画像データを印刷する際、画像データが印刷される用紙の縁に所定の色で印刷するとともに、画像データに基づいて印刷される用紙とは別の用紙に、用紙の縁に印刷された用紙の位置を特定するための特定情報を印刷する。【選択図】      図２
2016032898.tif 000002
【特許請求の範囲】
【請求項１】
各ページの画像データを受信する受信手段と、
前記受信した画像データを印刷画像データに変換する画像処理を実行する画像処理手段と、
前記画像データの受信中または前記画像処理中の各ページにおける画像データのエラーを検出するエラー検出手段と、
前記エラー検出手段によりエラーが検出された場合に、エラーが検出された画像データを印刷する際、前記画像データが印刷される用紙の縁に所定の色で印刷するとともに、前記画像データに基づいて印刷される用紙とは別の用紙に、前記用紙の縁に印刷された用紙の位置を特定するための特定情報を印刷する印刷手段と、
を備えたことを特徴とする印刷装置。
【発明の詳細な説明】
【技術分野】
【０００１】
本発明は、エラー用に準備された用紙を用いることなく、ユーザにエラーが発生した箇所を確実に発見させる印刷装置に関する。
【背景技術】
【０００２】
従来、印刷ジョブを生成するコンピュータ装置等の端末装置と、端末装置により生成された印刷ジョブに基づいて印刷を行う印刷装置とを備えた印刷システムがある。
【０００３】
このような印刷システムでは、ユーザが端末装置から各種印刷設定を行った後、印刷を要求する操作を行うと印刷ジョブが生成され、この印刷ジョブが印刷装置に送信される。
【０００４】
印刷装置は、受信した印刷ジョブに基づいて印刷処理を実行し、印刷された用紙を排紙台に排紙する。
【０００５】
ここで、印刷ジョブに複数ページの画像データが含まれている場合、端末装置と印刷装置との間のネットワークエラーによる一部画像データの欠落や、印刷ジョブにより指定されたフォントが存在せず指定したフォントで印刷できないフォントエラーなどが発生し、エラーが発生したページの画像データが印刷ジョブに含まれる画像データどおりに適切に印刷されない場合がある。
【０００６】
このような場合、エラーが発生したページを特定し、そのページを取り除いた後にそのページに対して再度印刷する必要がある。
【０００７】
特許文献１には、本来の印刷用紙よりもサイズが大きい用紙のセットされる給紙段をエラー頁用給紙段として設定したり、用紙サイズのみならず、色の異なる用紙、厚みや材質等、質感の異なる用紙の給紙段をエラー頁用給紙段として設定することにより、エラー検出時に、エラー頁用給紙段から印刷物のエラーが発生した頁にエラー頁用の用紙を給紙して挿入する技術が開示されている。
【先行技術文献】
【特許文献】
【０００８】
【特許文献１】特開２００７−３３１３２４号公報
【発明の概要】
【発明が解決しようとする課題】
【０００９】
しかしながら、特許文献１に開示された技術では、エラー検出時にエラー頁用給紙段から給紙してエラーが発生した頁に挿入するので、予め、エラー頁用給紙段を設定し、この設定されたエラー頁用給紙段に用紙（以下、エラー用紙という。）をセットしておく必要があった。
【００１０】
そのため、その分印刷に使用することができる給紙段（トレイ）の数が少なくなるので、印刷に使用できる用紙種類が少なくなるという問題があった。
【００１１】
また、印刷した一連の印刷物にエラーが複数回発生したとすると、特許文献１に開示された技術では、複数の箇所にエラー頁用給紙段から給紙されたエラー用紙が挿入される。そのため、ユーザが挿入されたエラー用紙を探すのは煩わしく、さらに挿入されたエラー用紙が正常に印刷された用紙に埋もれてしまい、挿入されたエラー用紙を見落としてしまう場合もあった。
【００１２】
本発明は、上記課題に鑑みてなされたものであり、エラー用に準備された用紙を用いることなく、ユーザにエラーが発生した箇所を確実に発見させる印刷装置を提供することを目的とする。
【課題を解決するための手段】
【００１３】
上記目的を達成するため、本発明に係る印刷装置の第１の特徴は、各ページの画像データを受信する受信手段と、前記受信した画像データを印刷画像データに変換する画像処理を実行する画像処理手段と、前記画像データの受信中または前記画像処理中の各ページにおける画像データのエラーを検出するエラー検出手段と、前記エラー検出手段によりエラーが検出された場合に、エラーが検出された画像データを印刷する際、前記画像データが印刷される用紙の縁に所定の色で印刷するとともに、前記画像データに基づいて印刷される用紙とは別の用紙に、前記用紙の縁に印刷された用紙の位置を特定するための特定情報を印刷する印刷手段と、を備えたことにある。
【発明の効果】
【００１４】
本発明に係る印刷装置の第１の特徴によれば、画像データの受信中または画像処理中に各ページにおける画像データをエラー検出手段によりエラーを検出した場合に、エラーが検出された画像データに基づいて印刷される用紙の縁を所定の色で印刷するとともに、画像データに基づいて印刷された用紙とは別の用紙に、エラー検出手段によりエラーが検出された画像データが印刷された用紙の位置を特定するためのエラー特定情報を印刷する。そのため、エラーが発生した場合、エラーが発生した画像データの印刷用紙が縁取りされ、さらに、エラーが発生したページ番号が印刷されるので、エラー用に準備された用紙を用いることなく、ユーザはエラーが発生した箇所を確実に発見することができる。
【００１５】
例えば、印刷ジョブの受信中にネットワークエラーが発生したか、画像データの画像処理中に画像処理に関するエラーが発生した場合、ユーザは、印刷用紙の四辺のいずれかの端の色（例えば、赤）のみを確認することで、エラーが発生した印刷用紙を探すことができるので、合紙などのエラー用に準備した用紙を用いることなくエラーが発生した印刷用紙を見つけやすくなる。
【００１６】
また、印刷が終了した後、エラー特定情報としてエラーが発生した印刷用紙のページ番号が印刷されるので、複数の印刷用紙においてエラーが発生している場合であっても、ユーザはエラーが発生した印刷用紙を回収する上でのチェックリストとして、エラー特定情報が印刷された用紙を使用することができるので、取り忘れがなく確実にエラーが発生した印刷用紙を取り除くことができる。
【図面の簡単な説明】
【００１７】
【図１】本発明の実施例１に係る印刷装置を備えた印刷システムの全体構成を示す概念図である。
【図２】図２は図１の印刷装置の内部構成を示すブロック図である。
【図３】本発明の実施例１に係る印刷装置のエラー特定情報記憶処理の手順を示したフローチャートである。
【図４】本発明の実施例１に係る印刷装置の印刷処理の処理手順を示したフローチャートである。
【図５】本発明の実施例１に係る印刷装置により印刷された印刷物の一例を示した図である。
【図６】本発明の変形例である印刷装置により印刷された印刷物の一例を示した図である。
【発明を実施するための形態】
【００１８】
以下に添付図面を参照して、本発明に係る印刷装置の実施形態を詳細に説明する。
【実施例１】
【００１９】
本発明の実施例１に係る印刷装置について説明する。
【００２０】
（印刷システムの全体構成）
図１は、本発明の実施例１に係る印刷装置を備えた印刷システムの全体構成を示す概念図である。本実施例において、印刷システムは、ユーザ端末１と、印刷装置２とを備えている。
【００２１】
ユーザ端末１（１ａ〜１ｃ）は、ＣＰＵを備えた演算処理装置であり、各種アプリケーションソフトにより印刷用の画像データを作成し、その画像データの印刷処理の実行を指示する機能を備えている。例えば、ユーザ端末１（１ａ〜１ｃ）は、パーソナルコンピュータ等の汎用コンピュータや、機能を特化させた専用装置により実現することができ、モバイルコンピュータやＰＤＡ（Personal Digital Assistance ）、携帯電話機であってもよい。
【００２２】
印刷装置２は、ユーザ操作に基づく印刷指示に従って、ネットワーク３を通じてユーザ端末１から受信した印刷ジョブに基づいて画像を印刷するネットワークプリンターである。
【００２３】
そして、本実施例は、図１に示すように、印刷装置２と、複数のユーザ端末１（１ａ〜１ｃ）は、ネットワーク３に対して接続されており、ユーザ端末１から印刷ジョブを、ネットワーク３を通じて印刷装置２に対して送出する。ここでは、印刷ジョブには、複数ページの画像データと、画像データに基づいて印刷する際の設定情報である印刷設定情報とが含まれている。
【００２４】
なお、このネットワーク３としては、通信プロトコルＴＣＰ／ＩＰを用いた１０ＢＡＳＥ−Ｔや１００ＢＡＳＥ−ＴＸ等によるローカルネットワーク（ＬＡＮ）や無線ＬＡＮ（ＷＬＡＮ）等の無線ネットワークであり、例えば、ピア・トゥー・ピアによる家庭用の簡易的なネットワークなども含まれる。
【００２５】
（印刷装置の構成）
次いで、印刷装置２の構成について説明する。図２は図１の印刷装置２の内部構成を示すブロック図である。
【００２６】
なお、説明中で用いられる「モジュール」とは、装置や機器等のハードウェア、或いはその機能を持ったソフトウェア、又はこれらの組み合わせなどによって構成され、所定の動作を達成するための機能単位を示す。
【００２７】
図２に示すように、印刷装置２には、ネットワークを通じて受信された画像を印刷するためのモジュールとして、通信インターフェース２０１と、操作パネル２０２と、印刷画像データ記憶部２０５と、エラー特定情報記憶部２０６と、演算処理部２１０と、インクジェットヘッド２２０とを備えている。
【００２８】
インクジェットヘッド２２０は、搬送される用紙に対して、ノズルから、黒（Ｋ）又はカラーインク（Ｃ，Ｍ，Ｙ）を吐出してライン単位で印刷を行う。
【００２９】
通信インターフェース２０１は、ユーザ端末１（１ａ〜１ｃ）との間でデータの送受信を行う通信インターフェースであり、例えば、有線・無線ＬＡＮやシリアル方式、ＵＳＢ方式等によりデータの通信を行う。
【００３０】
操作パネル２０２は、ユーザによる指示操作や設定操作を受け付けるモジュールであり、本実施例においては、例えば、選択操作を行うための情報が表示可能なタッチパネルを備えている。
【００３１】
印刷画像データ記憶部２０５は、電源の供給が遮断されると記憶されたデータが消去される揮発性のメモリである。この印刷画像データ記憶部２０５には、ユーザ端末１（１ａ〜１ｃ）から送信されて受信し、後述する画像処理部２１２により画像処理された印刷画像データが保存される。ここで、この印刷画像データ記憶部２０５には、画像を形成するための印刷画像データと、印刷画像データに基づいて印刷する際の設定情報である印刷設定情報とが記憶されている。印刷設定情報は、例えば、通常印刷処理または試し刷り印刷処理のいずれかが設定された印刷モード、用紙に対して画像を印刷する位置を天方向、地方向、右方向、左方向にその程度移動させるかを設定する印刷位置、印刷する画像の濃度を設定する印刷濃度、カラーで印刷させるかモノクロで印刷されるかまたは自動でカラーかモノクロかを選択するかが設定されたカラーモード、ソートを行うか否かが設定されたソート設定、片面または両面のいずれに印刷するのかが設定された片面両面設定などが含まれている。
【００３２】
エラー特定情報記憶部２０６は、各種のデータや、プログラムを記憶保持する記憶装置等であり、本実施形態においては、電源の供給が遮断されても記憶されたデータが消去されない不揮発性のものとなっている。そして、このエラー特定情報記憶部２０６には、後述するエラー検出部２１３により検出されたエラー特定情報が記憶されている。具体的には、エラー特定情報記憶部２０６は、複数のページを含む印刷画像データのうち、エラーが発生したページのページ番号をエラー特定情報として記憶している。
【００３３】
演算処理部２１０は、ＣＰＵやＤＳＰ（Digital Signal Prosessor）等のプロセッサ、メモリ、及びその他の電子回路等のハードウェア、或いはその機能を持ったプログラム等のソフトウェア、又はこれらの組み合わせなどによって構成された演算モジュールである。この演算処理部２１０は、プログラムを適宜読み込んで実行することにより種々の機能モジュールを仮想的に構築し、構築された各機能モジュールによって、印刷画像データに関する処理や、各部の動作制御、ユーザ操作に対する種々の処理を行う。
【００３４】
特に、本実施形態における印刷処理に関する設定及び制御は、操作パネル２０２、又はユーザ端末１上のプリンタードライバを通じてユーザ操作を受け付け、このユーザ操作に応じて演算処理部２１０によって行われる。具体的には、印刷処理に関するモジュールとして、演算処理部２１０には、印刷ジョブ受信部２１１と、画像処理部２１２と、エラー検出部２１３と、操作信号取得部２１４と、画像加工部２１５と、印刷制御部２１６とが実装される。
【００３５】
印刷ジョブ受信部２１１は、一連の印刷処理単位である印刷ジョブを受信するモジュールである。本実施形態において、印刷ジョブ受信部２１１は、新たに印刷ジョブが受信された際、受信した印刷ジョブを画像処理部２１２へ引き渡す。
【００３６】
画像処理部２１２は、印刷処理が実行できるように、印刷ジョブ受信部２１１により供給された印刷ジョブに含まれる画像データに対して色変換処理およびビットマップ変換処理などを実行することにより印刷画像データを生成する。
【００３７】
エラー検出部２１３は、例えば、印刷ジョブ受信部２１１により印刷ジョブ受信中に、ネットワーク障害などにより複数ページのうち一部のページにおいて画像が欠落するネットワークエラーの発生を検出する。このとき、ネットワークエラーの発生によりいずれのページにおいて画像が欠落したかを検出している。また、エラー検出部２１３は、画像処理部２１２により画像処理中に、印刷ジョブにより指定されたフォントが存在せず指定したフォントで印刷できないフォントエラーなど画像処理に関するエラーの発生を検出する。このときも同様に、いずれのページにおいてエラーが発生したかを検出している。
【００３８】
操作信号取得部２１４は、操作パネル２０２および通信インターフェース２０１を通じて、ユーザによる操作信号を受信するモジュールであり、受信した操作信号を解析し、ユーザ操作に応じた処理を他のモジュールに実行させる。特に、本実施形態において、この操作信号取得部２１４は、操作パネル２０２、又は通信インターフェース２０１を介して接続されたプリンタードライバなどから、印刷処理の指示操作を受け付けたり、ユーザによる印刷処理に関する指示操作や設定操作を受け付けたりするモジュールである。この操作信号取得部２１４で受信された操作信号は、制御信号として印刷制御部２１６に入力される。
【００３９】
画像加工部２１５は、画像データを含む印刷ジョブの受信中または画像処理中にエラー検出部２１３によりエラーを検出した場合に、検出されたエラーに対応する画像データに基づいて印刷される用紙の縁を所定の色で印刷するように印刷画像データを加工するとともに、印刷画像データに基づいて印刷された用紙の前または後に、検出されたエラーに対応する画像データを特定するためのエラー特定情報を印刷する。
【００４０】
印刷制御部２１６は、画像処理に特化したディジタル信号処理を行う演算処理装置であり、印刷画像データ記憶部２０５に記憶されている印刷画像データ、または画像加工部２１５により加工処理が施された印刷画像データに基づいて、印刷を実行するモジュールである。
【００４１】
（印刷装置の作用）
図３は、本発明の実施例１に係る印刷装置２のエラー特定情報記憶処理の手順を示したフローチャートである。
【００４２】
図３に示すように、印刷装置２の印刷ジョブ受信部２１１が、印刷ジョブを受信すると（ステップＳ１０１）、エラー検出部２１３は、受信した印刷ジョブに基づいて、印刷ジョブ受信部２１１により印刷ジョブ受信中に、ネットワーク障害などにより複数ページのうち一部のページにおいて画像データが欠落するネットワークエラーが発生したか否かを検出する（ステップＳ１０３）。ここで、印刷ジョブの送信先との通信中にネットワークエラーが発生した場合、通信インターフェース２０１は、印刷ジョブの中のどのページの受信中にネットワークエラーが生じたかを印刷ジョブのヘッダに記憶する。これにより、エラー検出部２１３は、印刷ジョブのヘッダを参照することにより、印刷ジョブの受信中にネットワークエラーが発生したか、また発生したとすると、どのページの受信中にネットワークエラーが発生したかを検出することができる。そこで、エラー検出部２１３は、印刷ジョブのヘッダを参照して、印刷ジョブの受信中にネットワークエラーが発生したか否かを判定する。
【００４３】
印刷ジョブの受信中にネットワークエラーが発生していないと判定された場合（ステップＳ１０３；ＮＯ）、ステップＳ１０５をスキップして、ステップＳ１０７へ処理が移行される。
【００４４】
一方、印刷ジョブの受信中にネットワークエラーが発生したと判定された場合（ステップＳ１０３；ＹＥＳ）、エラー検出部２１３は、複数のページを含む画像データのうち、ネットワークエラーが発生したページのページ番号をエラー特定情報としてエラー特定情報記憶部２０６に記憶する（ステップＳ１０５）。
【００４５】
さらに、印刷ジョブ受信部２１１が、受信した印刷ジョブを画像処理部２１２に供給すると、画像処理部２１２は、印刷処理が実行できるように、印刷ジョブ受信部２１１により供給された印刷ジョブに含まれる画像データに対して色変換処理およびビットマップ変換処理などを実行することにより印刷画像データを生成する画像処理を実行する（ステップＳ１０７）。
【００４６】
エラー検出部２１３は、画像処理部２１２により画像処理の実行中に、印刷ジョブにより指定されたフォントが存在せず指定したフォントで印刷できないフォントエラーなどの画像処理に関するエラーが発生したか否かを検出する（ステップＳ１０９）。具体的には、エラー検出部２１３は、画像処理部２１２により画像処理を監視しており、画像処理中に画像処理に関するエラーが発生したか、また発生したとすると、どのページの画像処理中にエラーが発生したかを検出する。
【００４７】
画像処理中にエラーが発生していないと判定された場合（ステップＳ１０９；ＮＯ）、ステップＳ１１１をスキップして、ステップＳ１１３へ処理が移行される。
【００４８】
一方、画像処理中にエラーが発生したと判定された場合（ステップＳ１０９；ＹＥＳ）、エラー検出部２１３は、複数のページを含む画像データのうち、画像処理に関するエラーが発生したページのページ番号をエラー特定情報としてエラー特定情報記憶部２０６に記憶する（ステップＳ１１１）。ここでは、ステップＳ１０５において記憶したエラー特定情報に新たなエラー特定情報を追記する。このとき、エラーが発生したページのページ番号だけでなく、エラーの内容やエラーが発生した日時などを記憶するようにしてもよい。
【００４９】
次に、画像処理部２１２は、画像処理を実行することにより生成した印刷画像データを印刷画像データ記憶部２０５に記憶させる（ステップＳ２０５）。
【００５０】
以上のように、エラー検出部２１３が、印刷ジョブ受信部２１１により印刷ジョブ受信中にネットワークエラーの発生を検出したり、画像処理部２１２により画像処理中に画像処理に関するエラーの発生を検出したりした場合に、エラー特定情報を記憶するので、印刷ジョブ単位で、エラー発生による画像データの欠落など印刷不良となる可能性の高いページを記憶することができる。
【００５１】
図４は、本発明の実施例１に係る印刷装置２の印刷処理の処理手順を示したフローチャートである。
【００５２】
図４に示すように、操作信号取得部２１４は、印刷開始が要求されたか否かを判定する（ステップＳ２０１）。具体的には、操作パネル２０２から、ユーザが印刷ジョブを選択して印刷開始を実行する操作を行ったとき、または、ユーザによる印刷ジョブの選択なしに印刷を実行するように指定された印刷ジョブの場合、印刷画像データ記憶部２０５に印刷画像データが記憶されたときに、印刷開始が要求されたと判定する。
【００５３】
ステップＳ２０１において、印刷開始が要求されたと判定された場合（ステップＳ２０１；ＹＥＳ）、演算処理部２１０の画像加工部２１５は、ページ数を示す変数ｎに、初期値として“１”を代入した後（ステップＳ２０３）、エラー特定情報記憶部２０６からエラー特定情報を読み出す（ステップＳ２０５）。
【００５４】
そして、画像加工部２１５は、読み出したエラー特定情報に基づいて、印刷画像データのｎページ目にエラーがあるか否かを判定する（ステップＳ２０７）。
【００５５】
印刷画像データのｎページ目にエラーがないと判定された場合（ステップＳ２０７；ＮＯ）、印刷制御部２１６は、印刷画像データ記憶部２０５に記憶された印刷画像データに基づいて、インクジェットヘッド２２０から、搬送される用紙に対して、ノズルから、黒（Ｋ）又はカラーインク（Ｃ，Ｍ，Ｙ）を吐出させることにより、ｎページ目の印刷処理を実行する（ステップＳ２０９）。
【００５６】
一方、印刷画像データのｎページ目にエラーがあると判定された場合（ステップＳ２０７；ＹＥＳ）、印刷制御部２１６は、ｎページ目のフチあり印刷を実行する（ステップＳ２１１）。具体的には、印刷制御部２１６は、インクジェットヘッド２２０から、搬送される用紙に対して、ノズルから、黒（Ｋ）又はカラーインク（Ｃ，Ｍ，Ｙ）を吐出させることにより、印刷画像データ記憶部２０５に記憶された印刷画像データを印刷するとともに、さらに、四辺それぞれ端から約１０（ｍｍ）の幅を、予め定めた色（例えば、赤）で印刷する。
【００５７】
次に、画像加工部２１５は、全ページを印刷したか否かを判定し、全ページの印刷が終了してないと判定された場合（ステップＳ２１３；ＮＯ）、変数ｎをインクリメントして（ステップＳ２１５）、ステップＳ２０７に処理を移行する。
【００５８】
一方、全ページの印刷が終了したと判定された場合（ステップＳ２１３；ＹＥＳ）、印刷制御部２１６は、エラー特定情報記憶部２０６に記憶されたエラー特定情報に基づいて、インクジェットヘッド２２０から、搬送される用紙に対して、ノズルから、黒（Ｋ）又はカラーインク（Ｃ，Ｍ，Ｙ）を吐出させることにより、印刷画像データに基づいて印刷された最後のページの後に、エラー特定情報の印刷処理を実行する（ステップＳ２１７）。
【００５９】
図５は、本発明の実施例１に係る印刷装置２により印刷された印刷物の一例を示した図である。ここでは、印刷ジョブに含まれる画像データが全８ページであるとする。
【００６０】
図５に示すように、４ページ目の印刷用紙３０２と、７ページ目の印刷用紙３０３とが、縁取りされて印刷されている。
【００６１】
これは、４ページ目の印刷用紙３０２と７ページ目の印刷用紙３０３との画像データを受信中に、ネットワークエラーが発生したか、または、４ページ目の印刷用紙３０２と７ページ目の印刷用紙３０３との画像データの画像処理中に、画像処理に関するエラーが発生したことを示している。これにより、ユーザは、印刷用紙の四辺のいずれかの端の色（例えば、赤）のみを確認することで、エラーが発生した印刷用紙を探すことができるので、エラーが発生した印刷用紙を見つけやすくなる。
【００６２】
また、１〜８ページ目までの印刷が終了した後、エラー特定情報としてエラーが発生した印刷用紙のページ番号が印刷された印刷用紙３０１が出力されている。これにより、複数の印刷用紙においてエラーが発生している場合であっても、ユーザはエラーが発生した印刷用紙を回収する上でのチェックリストとしてこの印刷用紙３０１を使用することができるので、取り忘れがなく確実にエラーが発生した印刷用紙を取り除くことができる。
【００６３】
（印刷装置２の効果）
以上のように、本発明の実施例１に係る印刷装置２によれば、画像データの受信中または画像処理中にエラー検出部２１３によりエラーを検出した場合に、検出されたエラーに対応する画像データに基づいて印刷される用紙の縁を所定の色で印刷するとともに、画像データに基づいて印刷された用紙の前または後に、エラー検出部２１３により検出されたエラーに対応する画像データを特定するためのエラー特定情報を印刷するので、エラーが発生した場合、エラーが発生した画像データの印刷用紙が縁取りされ、さらに、エラーが発生したページ番号が印刷される。そのため、ユーザは、合紙などのエラー用の用紙を予め準備する必要がなく、かつエラーが発生した箇所を確実に発見することができる。
【００６４】
＜変形例＞
本発明の実施例１に係る印刷装置２では、画像データを受信中にネットワークエラーが発生したか、または画像データの画像処理中に画像処理に関するエラーが発生した場合に、ユーザは、印刷用紙の四辺を所定の色（赤）で縁取り印刷したが、これに限らない。
【００６５】
例えば、印刷用紙の四辺のうち、上部の一辺のみ所定の色（赤）で縁取り印刷するようにしてもよいし、印刷用紙の角のみ所定の色（赤）で縁取り印刷するようにしてもよい。
【００６６】
また、所定の色は赤に限らず、何色でもよく、例えば、ネットワークエラーが発生した印刷用紙には、赤の縁取り印刷を行い、画像処理に関するエラーが発生した印刷用紙には、青の縁取り印刷を行うなどエラー内容に応じて色を変更するようにしてもよい。
【００６７】
さらに、本発明の実施例１に係る印刷装置２では、１〜８ページ目までの印刷が終了した後に、エラー特定情報としてエラーが発生した印刷用紙のページ番号が印刷された印刷用紙３０１を出力したが、これに限らず、１〜８ページ目までの印刷の開始前に、印刷用紙３０１を出力するようにしてもよい。
【００６８】
図６は、本発明の変形例である印刷装置２により印刷された印刷物の一例を示した図である。ここでは、ネットワークエラーの色が“赤色”として設定されており、画像処理に関するエラーの色が“青色”として設定されている。
【００６９】
図６に示すように、本発明の変形例である印刷装置２では、４ページ目の印刷用紙４０２の上部は赤色で縁取りされており、７ページ目の印刷用紙４０３の上部は青色で縁取りされて印刷されている。
【００７０】
これにより、４ページ目の印刷用紙３０２の画像データを受信中に、ネットワークエラーが発生し、７ページ目の印刷用紙３０３との画像データの画像処理中に、画像処理に関するエラーが発生したことがわかるので、ユーザは、エラー内容とエラーが発生したことによる印刷画像の影響度を把握することができる。例えば、４ページ目の印刷用紙３０２の画像については、画像の欠落度合として許容できる範囲内であり、７ページ目の印刷用紙４０３の画像については、画像の欠落度合として許容できないものである場合、ユーザは、主に画像処理部２１２に対して不具合がないか否かを重点的にチェックすることができるので、次回以降の印刷不良を素早く低減することができる。
【００７１】
また、本発明の実施例１に係る印刷装置２では、印刷ジョブごとにエラー特定情報記憶処理および印刷処理を実行したがこれに限らない。
【００７２】
例えば、封筒に宛先を印刷するような場合、宛先のレイアウトや差出人などが共通であるが、宛先が全て異なるのでそれぞれ異なる印刷ジョブとなる。このような宛先のレイアウトや差出人などが共通である一連の印刷ジョブを関連ジョブという。
【００７３】
この関連ジョブを印刷する場合、印刷ジョブ単位でなく、この関連ジョブ単位で、画像データの受信中または画像処理中にエラー検出部２１３によりエラーが発生したか否かを検出し、エラーを検出した場合に、検出されたエラーに対応する画像データに基づいて印刷される用紙の縁を所定の色で印刷するとともに、関連ジョブの印刷の前または後に、エラー検出部２１３により検出されたエラーに対応する画像データを特定するためのエラー特定情報を印刷するようにしてもよい。
【００７４】
これにより、関連ジョブを印刷する場合においても、一連の印刷ジョブの印刷を開始する前、または一連の印刷ジョブの印刷を終了した後に、エラー特定情報が印刷されるので、関連ジョブに含まれる印刷ジョブが多数ある場合でも、エラー特定情報が印刷された印刷用紙が印刷ジョブに埋もれて見つけ難くなることを防止することができる。
【符号の説明】
【００７５】
１…ユーザ端末
２…印刷装置
３…ネットワーク
２０１…通信インターフェース
２０２…操作パネル
２０５…印刷画像データ記憶部
２０６…エラー特定情報記憶部
２１０…演算処理部
２１１…印刷ジョブ受信部
２１２…画像処理部
２１３…エラー検出部
２１４…操作信号取得部
２１５…画像加工部
２１６…印刷制御部
２２０…インクジェットヘッド
【図１】
2016032898.tif 000003
【図２】
2016032898.tif 000004
【図３】
2016032898.tif 000005
【図４】
2016032898.tif 000006
【図５】
2016032898.tif 000007
【図６】
2016032898.tif 000008